(57)【要約】【課題】簡易な構造で複数の導光経路を形成できると共に原稿への照射光の照射位置の位置合わせが容易な画像読取装置を提供する。【解決手段】発光部５００と、発光部５００側に配置される第１入光部４１２と原稿Ｇ側に配置される第１出光部４１３とを有する導光体４１０と、導光体４１０における第１入光部４１２と第１出光部４１３とをつなぐ第１反射面４１６と、第１反射面４１６に対向する第２反射面４２２ａを有する導光空間形成部材４２２と、第１反射面４１６と第２反射面４２２ａとの間に形成され、発光部５００側に配置される第２入光部４２３と原稿Ｇ側に配置される第２出光部４２４とを有する導光空間４２０と、原稿Ｇからの光束を反射させて光路を形成するミラーと、ミラーにより反射された光束を結像させる結像レンズと、結像レンズの結像位置に配置され、結像レンズによる結像に基づいて原稿Ｇの画像を読み取る読取部と、を備える。【選択図】図５
2010191397.tif 000002
【特許請求の範囲】
【請求項１】
原稿に照射させる光を発光する発光部と、
前記発光部と前記原稿との間に配置され前記発光部側に配置される第１入光部と前記原稿側に配置される第１出光部とを有する導光体と、
前記導光体における前記第１入光部と前記第１出光部とをつなぐ外面の一部である第１反射面と、
前記第１反射面と対向する位置に配置され、前記第１反射面に対向する第２反射面を有する導光空間形成部材と、
前記第１反射面と前記第２反射面との間に形成され、前記発光部側に配置される第２入光部と前記原稿側に配置される第２出光部とを有する導光空間と、
前記原稿からの光束を反射させて光路を形成する１又は複数のミラーと、
前記１又は複数のミラーにより反射された光束を結像させる結像レンズと、
前記結像レンズの結像位置に配置され、前記結像レンズによる結像に基づいて前記原稿の画像を読み取る読取部と、を備える
画像読取装置。
【請求項２】
前記第１出光部からの光は、副走査方向における一方側から前記原稿に照射され、
前記第２出光部からの光は、前記副走査方向における他方側から前記原稿に照射される
請求項１に記載の画像読取装置。
【請求項３】
前記導光体は、前記第１入光部と前記第１出光部との間に、前記導光体が屈曲する屈曲部と、前記第１入光部から前記屈曲部まで副走査方向に延びる水平部と、前記屈曲部から前記第１出光部まで原稿側に傾斜して延びる傾斜部と、を有する
請求項１又は２に記載の画像読取装置。
【請求項４】
前記水平部は、前記原稿側に形成される水平部上面と、前記原稿側とは反対側に形成される水平部下面と、を有し、
前記傾斜部は、前記水平部上面から前記原稿側に延びる傾斜部上面と、前記水平部下面から前記原稿側に延びる傾斜部下面と、を有する
請求項３に記載の画像読取装置。
【請求項５】
前記第１出光部又は前記第２出光部に対応して配置され、前記第１出光部又は前記第２出光部からの光を前記原稿側に反射させる反射部材と、を備える
請求項２から４のいずれかに記載の画像読取装置。
【請求項６】
前記発光部は、複数の発光部材を有し、
前記複数の発光部材は、主走査方向に所定間隔で直列配置されると共に、前記主走査方向と直交する方向に複数列配置される
請求項１から５のいずれかに記載の画像読取装置。
【請求項７】
前記発光部は、
主走査方向に所定間隔で直列配置された第１発光部材群と、前記第１発光部材群における前記主走査方向と直交する方向に並んで配置される第２発光部材群と、を有し、
前記第１発光部材群は、前記第１入光部に対向して配置され、
前記第２発光部材群は、前記第２入光部に対向して配置される
請求項６に記載の画像読取装置。
【請求項８】
前記第１発光部材群及び前記第２発光部材群それぞれにおける発光量を別々に制御する発光量制御部と、を備える
請求項７に記載の画像読取装置。
【請求項９】
前記発光量制御部は、前記発光部材への供給電圧を変更させることにより発光量の制御を行う
請求項８に記載の画像読取装置。
【請求項１０】
請求項１から９のいずれかに記載の画像読取装置と、
前記画像読取装置より読み取られた前記原稿の画像に関する画像情報に基づいて、表面に静電潜像が形成される像担持体と、
前記像担持体に形成された静電潜像にトナー画像を現像する現像器と、
前記像担持体に形成されたトナー画像を直接的又は間接的に所定の用紙に転写する転写部と、
前記転写部により前記所定の用紙に転写されたトナー画像を定着させる定着部と、を備える
画像形成装置。
【発明の詳細な説明】
【技術分野】
【０００１】
本発明は、画像読取装置及び画像読取装置を備える画像形成装置に関する。
【背景技術】
【０００２】
従来、原稿の画像を読み取る画像読取装置として、原稿に光を照射する照明部と、原稿からの光を反射させて光路を形成するミラーと、原稿からの光束を結像させる結像レンズと、結像レンズにより結像された原稿の画像を読み取るＣＣＤ（Ｃｈａｒｇｅ―Ｃｏｕｐｌｅｄ  Ｄｅｖｉｃｅ）と、を備える画像読取装置が知られている。
【０００３】
また、原稿に一方向のみから光を照射すると、原稿の厚みに起因してエッジ影が発生しやすい。このエッジ影の発生を抑制するため、例えば、複数のＬＥＤを主走査方向に配列すると共に、所定位置に２つの反射板を設けることで、複数のＬＥＤから照射される光を副走査方向における一方側と他方側との双方から光を原稿に照射させる（複数の導光経路を設ける）ように構成した画像読取装置が提案されている（例えば、特許文献１参照）。
【先行技術文献】
【特許文献】
【０００４】
【特許文献１】特開２００８−２０９８７９号公報
【発明の概要】
【発明が解決しようとする課題】
【０００５】
しかし、特許文献１の画像読取装置では、所定位置に２つの反射板を設ける必要があるため、画像読取装置の構造が複雑となりやすく、また、原稿への照射光の照射位置の位置合わせが容易ではない。
【０００６】
本発明は、簡易な構造で複数の導光経路を形成できると共に原稿への照射光の照射位置の位置合わせが容易な画像読取装置を提供することを目的とする。
また、本発明は、前記画像読取装置を備える画像形成装置を提供することを目的とする。
【課題を解決するための手段】
【０００７】
本発明は、原稿に照射させる光を発光する発光部と、前記発光部と前記原稿との間に配置され前記発光部側に配置される第１入光部と前記原稿側に配置される第１出光部とを有する導光体と、前記導光体における前記第１入光部と前記第１出光部とをつなぐ外面の一部である第１反射面と、前記第１反射面と対向する位置に配置され、前記第１反射面に対向する第２反射面を有する導光空間形成部材と、前記第１反射面と前記第２反射面との間に形成され、前記発光部側に配置される第２入光部と前記原稿側に配置される第２出光部とを有する導光空間と、前記原稿からの光束を反射させて光路を形成する１又は複数のミラーと、前記１又は複数のミラーにより反射された光束を結像させる結像レンズと、前記結像レンズの結像位置に配置され、前記結像レンズによる結像に基づいて前記原稿の画像を読み取る読取部と、を備える画像読取装置に関する。
【０００８】
また、前記第１出光部からの光は、前記副走査方向における一方側から前記原稿に照射され、前記第２出光部からの光は、前記副走査方向における他方側から前記原稿に照射されることが好ましい。
【０００９】
また、前記導光体は、前記第１入光部と前記第１出光部との間に、前記導光体が屈曲する屈曲部と、前記第１入光部から前記屈曲部まで副走査方向に延びる水平部と、前記屈曲部から前記第１出光部まで原稿側に傾斜して延びる傾斜部と、を有することが好ましい。
【００１０】
また、前記水平部は、前記原稿側に形成される水平部上面と、前記原稿側とは反対側に形成される水平部下面と、を有し、前記傾斜部は、前記水平部上面から前記原稿側に延びる傾斜部上面と、前記水平部下面から前記原稿側に延びる傾斜部下面と、を有することが好ましい。
【００１１】
また、前記第１出光部又は前記第２出光部に対応して配置され、前記第１出光部又は前記第２出光部からの光を前記原稿側に反射させる反射部材と、を備えることが好ましい。
【００１２】
また、前記発光部は、複数の発光部材を有し、前記複数の発光部材は、前記主走査方向に所定間隔で直列配置されると共に、主走査方向と直交する方向に複数列配置されることが好ましい。
【００１３】
また、前記発光部は、主走査方向に所定間隔で直列配置された第１発光部材群と、前記第１発光部材群における前記主走査方向と直交する方向に並んで配置される第２発光部材群と、を有し、前記第１発光部材群は、前記第１入光部に対向して配置され、前記第２発光部材群は、前記第２入光部に対向して配置されることが好ましい。
【００１４】
また、前記第１発光部材群及び前記第２発光部材群それぞれにおける発光量を別々に制御する発光量制御部と、を備えることが好ましい。
【００１５】
また、前記発光量制御部は、前記発光部材への供給電圧を変更させることにより発光量の制御を行うことが好ましい。
【００１６】
本発明は、前記画像読取装置と、前記画像読取装置より読み取られた前記原稿の画像に関する画像情報に基づいて、表面に静電潜像が形成される像担持体と、前記像担持体に形成された静電潜像にトナー画像を現像する現像器と、前記像担持体に形成されたトナー画像を直接的又は間接的に所定の用紙に転写する転写部と、前記転写部により前記所定の用紙に転写されたトナー画像を定着させる定着部と、を備える画像形成装置に関する。
【発明の効果】
【００１７】
本発明によれば、簡易な構造で複数の導光経路を形成できると共に原稿への照射光の照射位置の位置合わせが容易な画像読取装置、及び該画像読取装置を備える画像形成装置を提供することができる。
【図面の簡単な説明】
【００１８】
【図１】コピー機１の各構成要素の配置を説明するための図である。
【図２】第１実施形態の画像読取装置３００の読取部３０１の内部構造を示す概略平面図である。
【図３】図２に示す画像読取装置３００の矢印Ｓ方向から見た図である。
【図４】照明部３４０の構成を説明する断面図である。
【図５】図３に示す導光体４１０の部分拡大図である。
【図６】図３に示すＬＥＤユニット５００の斜視図である。
【図７】ＬＥＤユニット５００の発光を制御する発光制御部４５０を含むブロック図である。
【図８】第２実施形態における照明部３４０の構成を説明する断面図である。
【図９】図８に示すＬＥＤユニット５００Ａの斜視図である。
【発明を実施するための形態】
【００１９】
以下、図面を参照して、本発明の実施形態を説明する。
まず、図１から図７により、本発明の第１実施形態について説明する。
図１により、本実施形態における画像形成装置としてのコピー機１における全体構造を説明する。図１は、コピー機１の各構成要素の配置を説明するための図である。
【００２０】
図１に示すように、画像形成装置としてのコピー機１は、コピー機１における上方側に配置される画像読取装置３００と、コピー機１における下方側に配置され画像読取装置３００からの画像情報に基づいてシート状の被転写材としての用紙Ｔにトナー画像を形成する装置本体Ｍと、を備える。
【００２１】
画像読取装置３００について説明する。
図１に示すように、画像読取装置３００は、蓋部材７０と、原稿Ｇの画像を読み込む読取部３０１と、を備える。
蓋部材７０は、読取部３０１に対して不図示の連結部により開閉可能に連結される。蓋部材７０は、後述する読取面３０２Ａを保護する機能を有する。
【００２２】
読取部３０１は、読取面３０２Ａと、内部空間３０４に配置される光源を含む照明部３４０と、複数のミラー３２１、３２２及び３２３と、読取面３０２Ａと平行な方向に移動する第１枠体３１１及び第２枠体３１２と、結像レンズ３５７と、読取手段としてのＣＣＤ３５８と、ＣＣＤ３５８により読み取られた画像データに対して所定の処理をすると共に該画像データを装置本体Ｍ側に出力させるＣＣＤ基板３６１と、を備える。
【００２３】
読取面３０２Ａは、原稿Ｇが載置されるコンタクトガラス３０２の垂直方向上面に沿って形成される。
上述の照明部３４０及びミラー３２１は、第１枠体３１１に収容される。また、ミラー３２２及び３２３は、第２枠体３１２に収容される。
【００２４】
読取部３０１の内部空間３０４において、複数のミラー３２１、３２２及び３２３は、原稿Ｇからの光を結像レンズ３５７に入光させるための光路Ｈを形成する。また、第１枠体３１１が副走査方向Ｘに一定速度Ａで移動すると共に、第２枠体３１２が副走査方向Ｘに一定速度Ａ／２で移動するため、画像読み取り動作時においても、光路Ｈの長さは一定に維持される。これにより、読取面３０２Ａに載置された原稿Ｇの画像が読み取られる。
【００２５】
装置本体Ｍについて説明する。
装置本体Ｍは、所定の画像情報に基づいて用紙Ｔに所定のトナー画像を形成する画像形成部と、用紙Ｔを画像形成部に給紙すると共にトナー画像が形成された用紙Ｔを排紙する給排紙部とを有する。
【００２６】
図１に示すように、画像形成部は、像担持体（感光体）としての感光体ドラム２ａ、２ｂ、２ｃ、２ｄと、帯電部１０ａ、１０ｂ、１０ｃ、１０ｄと、露光ユニットとしてのレーザスキャナユニット４ａ、４ｂ、４ｃ、４ｄと、現像器１６ａ、１６ｂ、１６ｃ、１６ｄと、トナーカートリッジ５ａ、５ｂ、５ｃ、５ｄと、トナー供給部６ａ、６ｂ、６ｃ、６ｄと、ドラムクリーニング部１１ａ、１１ｂ、１１ｃ、１１ｄと、除電器１２ａ、１２ｂ、１２ｃ、１２ｄと、中間転写ベルト７と、１次転写ローラ３７ａ、３７ｂ、３７ｃ、３７ｄと、２次転写ローラ８と、対抗ローラ１８と、定着部９と、を備える。
【００２７】
図１に示すように、給排紙部は、給紙カセット５２と、手差し給紙部６４と、用紙Ｔの搬送路Ｌと、レジストローラ対８０と、第１排紙部５０ａと、第２排紙部５０ｂとを備える。なお、搬送路Ｌは、後述するように、第１搬送路Ｌ１と、第２搬送路Ｌ２と、第３搬送路Ｌ３と、手差し搬送路Ｌａと、戻り搬送路Ｌｂと、後処理搬送路Ｌｃとの集合体である。
【００２８】
以下、画像形成部及び給排紙部の各構成について詳細に説明する。
まず、画像形成部について説明する。
画像形成部においては、感光体ドラム２ａ、２ｂ、２ｃ、２ｄそれぞれの表面に対して、上流側から下流側に順に、帯電部１０ａ、１０ｂ、１０ｃ、１０ｄによる帯電、レーザスキャナユニット４ａ、４ｂ、４ｃ、４ｄによる露光、現像器１６ａ、１６ｂ、１６ｃ、１６ｄによる現像、中間転写ベルト７及び１次転写ローラ３７ａ、３７ｂ、３７ｃ、３７ｄによる１次転写、除電器１２ａ、１２ｂ、１２ｃ、１２ｄによる除電、及びドラムクリーニング部１１ａ、１１ｂ、１１ｃ、１１ｄによるクリーニングが行われる。
また、画像形成部においては、中間転写ベルト７、２次転写ローラ８及び対抗ローラ１８による２次転写、並びに定着部９による定着が行われる。
【００２９】
感光体ドラム２ａ、２ｂ、２ｃ、２ｄそれぞれは、円筒形状の部材からなり、感光体又は像担持体として機能する。感光体ドラム２ａ、２ｂ、２ｃ、２ｄそれぞれは、中間転写ベルト７の進行方向に対して直交する方向に延びる機軸を中心に矢印の方向に回転可能に配置される。感光体ドラム２ａ、２ｂ、２ｃ、２ｄそれぞれにおける表面には、静電潜像が形成される。
【００３０】
帯電部１０ａ、１０ｂ、１０ｃ、１０ｄそれぞれは、感光体ドラム２ａ、２ｂ、２ｃ、２ｄそれぞれの表面に対向して配置される。帯電部１０ａ、１０ｂ、１０ｃ、１０ｄそれぞれは、感光体ドラム２ａ、２ｂ、２ｃ、２ｄそれぞれの表面を一様に負（マイナス極性）又は正（プラス極性）に帯電させる。
【００３１】
レーザスキャナユニット４ａ、４ｂ、４ｃ、４ｄは、露光ユニットとして機能するものであり、感光体ドラム２ａ、２ｂ、２ｃ、２ｄそれぞれの表面から離間して配置される。レーザスキャナユニット４ａ、４ｂ、４ｃ、４ｄそれぞれは、不図示のレーザ光源、ポリゴンミラー、ポリゴンミラー駆動用モータ等を有して構成される。
【００３２】
レーザスキャナユニット４ａ、４ｂ、４ｃ、４ｄそれぞれは、読取部３０１により読み込まれた画像に関する画像情報に基づいて感光体ドラム２ａ、２ｂ、２ｃ、２ｄそれぞれの表面を走査露光する。レーザスキャナユニット４ａ、４ｂ、４ｃ、４ｄそれぞれにより走査露光されることで、感光体ドラム２ａ、２ｂ、２ｃ、２ｄそれぞれの表面に帯電した電荷が除去される。これにより、感光体ドラム２ａ、２ｂ、２ｃ、２ｄそれぞれの表面に静電潜像が形成される。
【００３３】
現像器１６ａ、１６ｂ、１６ｃ、１６ｄそれぞれは、感光体ドラム２ａ、２ｂ、２ｃ、２ｄにそれぞれ対応して設けられ、感光体ドラム２ａ、２ｂ、２ｃ、２ｄの表面に対向して配置される。現像器１６ａ、１６ｂ、１６ｃ、１６ｄそれぞれは、感光体ドラム２ａ、２ｂ、２ｃ、２ｄに形成された静電潜像に各色のトナーを付着させて、カラーのトナー画像を現像する（感光体ドラムの表面にトナー画像を形成する）。現像器１６ａ、１６ｂ、１６ｃ、１６ｄそれぞれは、イエロー、シアン、マゼンタ、ブラックの４つのトナー色に対応する。現像器１６ａ、１６ｂ、１６ｃ、１６ｄそれぞれは、感光体ドラム２ａ、２ｂ、２ｃ、２ｄの表面に対向配置可能な現像ローラ、トナー攪拌用の攪拌ローラ等を有して構成される。
【００３４】
トナーカートリッジ５ａ、５ｂ、５ｃ、５ｄそれぞれは、現像器１６ａ、１６ｂ、１６ｃ、１６ｄそれぞれに対応して設けられており、現像器１６ａ、１６ｂ、１６ｃ、１６ｄそれぞれに対して供給される各色のトナーを収容する。トナーカートリッジ５ａ、５ｂ、５ｃ、５ｄそれぞれは、イエローのトナー、シアンのトナー、マゼンタのトナー、ブラックのトナーを収容する。
【００３５】
トナー供給部６ａ、６ｂ、６ｃ、６ｄそれぞれは、トナーカートリッジ５ａ、５ｂ、５ｃ、５ｄ及び現像器１６ａ、１６ｂ、１６ｃ、１６ｄにそれぞれ対応して設けられており、トナーカートリッジ５ａ、５ｂ、５ｃ、５ｄそれぞれに収容された各色のトナーを、現像器１６ａ、１６ｂ、１６ｃ、１６ｄそれぞれに対して供給する。
【００３６】
中間転写ベルト７には、感光体ドラム２ａ、２ｂ、２ｃ、２ｄに現像された各色のトナー画像が順次転写される。中間転写ベルト７は、従動ローラ３５、駆動ローラからなる対抗ローラ１８、テンションローラ３６等に掛け渡される。テンションローラ３６が中間転写ベルト７を内側から外側に付勢するため、中間転写ベルト７には所定の張力が与えられる。
【００３７】
中間転写ベルト７を挟んで感光体ドラム２ａ、２ｂ、２ｃ、２ｄと反対の側には、１次転写ローラ３７ａ、３７ｂ、３７ｃ、３７ｄそれぞれが対向して配置される。
【００３８】
１次転写ローラ３７ａ、３７ｂ、３７ｃ、３７ｄそれぞれと、感光体ドラム２ａ、２ｂ、２ｃ、２ｄそれぞれとの間で、中間転写ベルト７における所定部分が挟み込まれる。この挟み込まれた所定部分は、感光体ドラム２ａ、２ｂ、２ｃ、２ｄそれぞれにおける表面に押し当てられる。感光体ドラム２ａ、２ｂ、２ｃ、２ｄそれぞれと１次転写ローラ３７ａ、３７ｂ、３７ｃ、３７ｄそれぞれとの間で、それぞれ１次転写ニップＮ１ａ、Ｎ１ｂ、Ｎ１ｃ、Ｎ１ｄが形成される。１次転写ニップＮ１ａ、Ｎ１ｂ、Ｎ１ｃ、Ｎ１ｄそれぞれにおいて、感光体ドラム２ａ、２ｂ、２ｃ、２ｄそれぞれに現像された各色トナー画像が中間転写ベルト７に順次転写される。これにより、中間転写ベルト７には、フルカラーのトナー画像が形成される。
【００３９】
１次転写ローラ３７ａ、３７ｂ、３７ｃ、３７ｄそれぞれには、不図示の電圧印加手段により、感光体ドラム２ａ、２ｂ、２ｃ、２ｄそれぞれに現像された各色トナー画像を中間転写ベルト７に転写させるための１次転写バイアスが印加される。
【００４０】
除電器１２ａ、１２ｂ、１２ｃ、１２ｄそれぞれは、感光体ドラム２ａ、２ｂ、２ｃ、２ｄそれぞれの表面に対向して配置される。除電器１２ａ、１２ｂ、１２ｃ、１２ｄそれぞれは、感光体ドラム２ａ、２ｂ、２ｃ、２ｄそれぞれの表面に光を照射することにより、１次転写が行われた後の感光体ドラム２ａ、２ｂ、２ｃ、２ｄそれぞれの表面を除電する（電荷を除去する）。
【００４１】
ドラムクリーニング部１１ａ、１１ｂ、１１ｃ、１１ｄそれぞれは、感光体ドラム２ａ、２ｂ、２ｃ、２ｄそれぞれの表面に対向して配置される。ドラムクリーニング部１１ａ、１１ｂ、１１ｃ、１１ｄそれぞれは、感光体ドラム２ａ、２ｂ、２ｃ、２ｄそれぞれの表面に残存したトナーや付着物を除去すると共に、除去されたトナーを所定の回収機構へ搬送させて、回収させる。
【００４２】
２次転写ローラ８は、中間転写ベルト７に１次転写されたトナー画像を用紙Ｔに２次転写させる。２次転写ローラ８には、不図示の電圧印加手段により、中間転写ベルト７に形成されたトナー画像を用紙Ｔに転写させるための２次転写バイアスが印加される。
【００４３】
２次転写ローラ８は、中間転写ベルト７に対して接離される。具体的には、２次転写ローラ８は、中間転写ベルト７に当接される当接位置と中間転写ベルト７から離間する離間位置とに移動可能に構成される。詳細には、２次転写ローラ８は、中間転写ベルト７の表面に１次転写されたトナー画像を用紙Ｔに２次転写させる場合には当接位置に移動され、他の場合には離間位置に移動される。
【００４４】
中間転写ベルト７における２次転写ローラ８に対向する側には、対抗ローラ１８が配置される。中間転写ベルト７における所定部分は、２次転写ローラ８と対抗ローラ１８とによって挟み込まれる。そして、用紙Ｔは中間転写ベルト７の外面（トナー画像が１次転写された面）に押し当てられる。２次転写ローラ８と対抗ローラ１８との間で２次転写ニップＮ２が形成される。２次転写ニップＮ２において、中間転写ベルト７に１次転写されたトナー画像が用紙Ｔに２次転写される。
【００４５】
定着部９は、用紙Ｔに２次転写されたトナー画像を構成する各色トナーを溶融して用紙Ｔに定着させる。定着部９は、ヒータにより加熱される加熱ローラ９ａと、加熱ローラ９ａに圧接される加圧ローラ９ｂと、を備える。加熱ローラ９ａと加圧ローラ９ｂとは、トナー画像が２次転写された用紙Ｔを挟持するようにして搬送する。加熱ローラ９ａと加圧ローラ９ｂとの間に挟持されるように用紙Ｔが搬送されることで、用紙Ｔに転写されたトナーは、溶融し、用紙Ｔに定着される。
【００４６】
次に、給排紙部について説明する。
図１に示すように、装置本体Ｍの下部には、用紙Ｔを収容する２個の給紙カセット５２が上下に配列されて配置される。給紙カセット５２は、装置本体Ｍの筐体から水平方向に引き出し可能に構成される。給紙カセット５２には、用紙Ｔが載置される載置板６０が配置される。給紙カセット５２には、用紙Ｔが載置板６０の上に積層された状態で収容される。載置板６０に載置された用紙Ｔは、給紙カセット５２における用紙送り出し側の端部（図１において左側の端部）に配置されるカセット給紙部５１により搬送路Ｌに送り出される。カセット給紙部５１は、載置板６０上の用紙Ｔを取り出すための前送りコロ６１と、用紙Ｔを１枚ずつ搬送路Ｌに送り出すための給紙ローラ対６３からなる重送防止機構を備える。
【００４７】
装置本体Ｍの右側面（図１において右側）には、手差し給紙部６４が設けられる。手差し給紙部６４は、給紙カセット５２にセットされる用紙Ｔとは異なる大きさや種類の用紙Ｔを装置本体Ｍに供給することを主目的として設けられる。手差し給紙部６４は、閉状態において装置本体Ｍの一部を構成する手差しトレイ６５と、給紙コロ６６とを備える。手差しトレイ６５は、その下端が給紙コロ６６の近傍に回動自在（開閉自在）に取り付けられる。開状態の手差しトレイ６５には、用紙Ｔが載置される。手差し給紙部６４は、開状態の手差しトレイ６５に載置された用紙Ｔを手差し搬送路Ｌａに給紙する。
【００４８】
装置本体Ｍにおける上方側には、第１排紙部５０ａ及び第２排紙部５０ｂが設けられる。第１排紙部５０ａ及び第２排紙部５０ｂは、用紙Ｔを装置本体Ｍの外部に排紙する。第１排紙部５０ａ及び第２排紙部５０ｂの詳細については後述する。
【００４９】
用紙Ｔを搬送する搬送路Ｌは、カセット給紙部５１から２次転写ローラ８までの第１搬送路Ｌ１と、２次転写ローラ８から定着部９までの第２搬送路Ｌ２と、定着部９から第１排紙部５０ａまでの第３搬送路Ｌ３と、手差し給紙部６４から供給される用紙を第１搬送路Ｌ１に合流させる手差し搬送路Ｌａと、第３搬送路Ｌ３を上流側から下流側へ搬送する用紙を表裏反転させて第１搬送路Ｌ１に戻す戻り搬送路Ｌｂと、第３搬送路Ｌ３を上流側から下流側へ搬送する用紙を後処理装置（図示せず）に搬送する後処理搬送路Ｌｃとを備える。
【００５０】
また、第１搬送路Ｌ１の途中には、第１合流部Ｐ１及び第２合流部Ｐ２が設けられている。第３搬送路Ｌ３の途中には、第１分岐部Ｑ１が設けられている。
第１合流部Ｐ１は、手差し搬送路Ｌａが第１搬送路Ｌ１に合流する合流部である。第２合流部Ｐ２は、戻り搬送路Ｌｂが第１搬送路Ｌ１に合流する合流部である。
第１分岐部Ｑ１は、後処理搬送路Ｌｃが第３搬送路Ｌ３から分岐する分岐部である。第１分岐部Ｑ１には、整流部材５８が設けられている。整流部材５８は、定着部９から搬出された用紙Ｔの搬送方向を、第１排紙部５０ａに向かう第３搬送路Ｌ３又は第２排紙部５０ｂに向かう後処理搬送路Ｌｃに整流させる（切り換える）。
【００５１】
第１搬送路Ｌ１の途中（詳細には、第２合流部Ｐ２と２次転写ローラ８との間）には、用紙Ｔを検出するためのセンサと、用紙Ｔのスキュー（斜め給紙）補正やトナー画像とのタイミングを合わせるためのレジストローラ対８０が配置される。センサは、用紙Ｔの搬送方向におけるレジストローラ対８０の直前（上流側）に配置される。レジストローラ対８０は、センサからの検出信情報に基づいて上述の補正やタイミング調整をして用紙Ｔを搬送する。
【００５２】
戻し搬送路Ｌｂは、用紙Ｔの両面印刷を行う際に、既に印刷されている面とは反対面（非印刷面）を感光体ドラム２に対向させるために設けられる搬送路である。戻し搬送路Ｌｂによれば、第１分岐部Ｑ１から排紙部５０側に搬送された用紙Ｔを表裏反転させて第１搬送路Ｌ１に戻して、２次転写ローラ８の上流側に配置されたレジストローラ対８０の上流側に搬送させることができる。戻し搬送路Ｌｂにより表裏反転された用紙Ｔには、感光体ドラム２により非印刷面に対して所定のトナー画像が転写される。
【００５３】
第３搬送路Ｌ３における端部には、第１排紙部５０ａが形成される。第１排紙部５０ａは、装置本体Ｍにおける上方側に配置される。第１排紙部５０ａは、装置本体Ｍの右側面側（図１において右側、手差し給紙部６４側）に向けて開口している。第１排紙部５０ａは、第３搬送路Ｌ３を搬送される用紙Ｔを装置本体Ｍの外部に排紙する。
【００５４】
第１排紙部５０ａにおける開口側には、排紙集積部Ｍ１が形成される。排紙集積部Ｍ１は、装置本体Ｍにおける上面（外面）に形成される。排紙集積部Ｍ１は、装置本体Ｍにおける上面が下方に窪んで形成された部分である。排紙集積部Ｍ１の底面は、装置本体Ｍにおける上面の一部を構成する。排紙集積部Ｍ１には、所定のトナー画像が転写され第１排紙部５０ａから排紙された用紙Ｔが積層して集積される。
【００５５】
後処理搬送路Ｌｃにおける端部には、第２排紙部５０ｂが形成される。第２排紙部５０ｂは、装置本体Ｍにおける上方側に配置される。第２排紙部５０ｂは、装置本体Ｍの左側面側（図１において左側、後処理装置が連結される側）に向けて開口している。第２排紙部５０ｂは、後処理搬送路Ｌｃを搬送される用紙Ｔを装置本体Ｍの外部に排紙する。
第２排紙部５０ｂにおける開口側には、後処理装置（図示せず）が連結される。後処理装置は、画像形成装置（コピー機１）から排出される用紙の後処理（ステープル、パンチ等）を行うものである。
なお、各搬送路の所定位置には用紙検出用のセンサが配置される。
【００５６】
次に、主搬送路Ｌ１〜Ｌ３（第１搬送路Ｌ１、第２搬送路Ｌ２及び第３搬送路Ｌ３を合わせて以下「主搬送路」ともいう）及び戻り搬送路Ｌｂにおける紙詰まり（ＪＡＭ）を解消するための構造について簡単に説明する。
図１に示すように、装置本体Ｍの左側面側（図１において左側）には、主搬送路Ｌ１〜Ｌ３及び戻り搬送路Ｌｂが主に上下方向に延びるように並列している。装置本体Ｍの左側面側（図１において左側）には、装置本体Ｍの側面の一部を形成するように、カバー体４０が設けられている。カバー体４０は、その下端部において、支点軸４３を介して装置本体Ｍに連結されている。支点軸４３は、その軸方向が主搬送路Ｌ１〜Ｌ３及び戻り搬送路Ｌｂを横断する方向に沿って配設されている。カバー体４０は、支点軸４３を中心として閉位置（図１に示す位置）と開位置（図示せず）との間を回動自在に構成されている。
【００５７】
カバー体４０は、支点軸４３によって装置本体Ｍに回動自在に連結された第１のカバー部４１と、同じ支点軸４３によって装置本体Ｍに回動自在に連結された第２のカバー部４２とから構成されている。第１のカバー部４１は、第２のカバー部４２よりも装置本体Ｍの外側（側面側）に位置する。なお、図１において、左下がりの破線でハッチングされた部分が第１のカバー部４１であり、右下がりの破線でハッチングされた部分が第２のカバー部４２である。
【００５８】
カバー体４０が閉位置に位置する状態において、第１のカバー部４１は、その外面側が装置本体Ｍの外面（側面）の一部を形成している。
また、カバー体４０が閉位置に位置する状態において、第２のカバー部４２は、その内面側（装置本体Ｍ側）が主搬送路Ｌ１〜Ｌ３の一部を形成している。
更に、カバー体４０が閉位置に位置する状態において、第１のカバー部４１の内面側と第２のカバー部４２の外面側とが、戻り搬送路Ｌｂの少なくとも一部を形成している。つまり、戻り搬送路Ｌｂは、第１のカバー部４１と第２のカバー部４２との間に形成されている。
【００５９】
本実施形態のコピー機１は、このような構成のカバー体４０を備えることにより、主搬送路Ｌ１〜Ｌ３で紙詰まり（ＪＡＭ）が発生した際には、カバー体４０を図１に示す閉位置から、開位置（図示せず）に回動して主搬送路Ｌ１〜Ｌ３を開放することにより、主搬送路Ｌ１〜Ｌ３に詰まった用紙を処理することができる。一方、戻り搬送路Ｌｂで紙詰まりが発生した際には、カバー体４０を開位置に回動した後、支点軸４３を中心に第２のカバー部４２を装置本体Ｍ側（図１において右側）に回動させて戻り搬送路Ｌｂを開放することにより、戻り搬送路Ｌｂに詰まった用紙を処理することができる。
【００６０】
次いで、図２から図７により、画像読取装置３００を構成する読取部３０１について説明する。
図２は、第１実施形態の画像読取装置３００の読取部３０１の内部構造を示す概略平面図である。図３は、図２に示す画像読取装置３００の矢印Ｓ方向から見た図である。図４は、照明部３４０の構成を説明する断面図である。図５は、図３に示す導光体４１０の部分拡大図である。図６は、図３に示すＬＥＤユニット５００の斜視図である。図７は、ＬＥＤユニット５００の発光を制御する発光制御部４５０を含むブロック図である。
【００６１】
図２及び図３に示すように、読取部３０１は、原稿Ｇが載置されるコンタクトガラス３３５と、一対の案内レール３４５と、駆動プーリ３５１が取り付けられた駆動軸３５０と、従動プーリ３５２が取り付けられた支軸３５３と、照明手段としての照明ユニット３４７と、ミラーユニット３４９と、結像レンズ３５７と、読取手段としてのＣＣＤ３５８と、光学センサ３６２と、を備える。
【００６２】
図２に示すように、読取部３０１は、上面（図２における手前側）に配置され原稿Ｇが載置されるコンタクトガラス３３５を有する。コンタクトガラス３３５は、コピー機１が通常の状態で配置された場合、水平面と略平行に配置される。
【００６３】
図２に示すように、一対の案内レール３４５は、読取部３０１における側面３０６ａ、３０６ｂ（図２における左右）同士の間に配置される。一対の案内レール３４５は、上述のコンタクトガラス３３５（図３参照）と平行に設置される。一対の案内レール３４５上には、照明ユニット３４７及びミラーユニット３４９が移動可能に載置される。
【００６４】
図２に示すように、駆動軸３５０は、側面３０６ａ側に案内レール３４５と直交するように配置される。駆動軸３５０は、不図示の駆動モータにより正転駆動され、又は逆転駆動される。駆動軸３５０の両端であって案内レール３４５よりも主走査方向Ｙの外側には、大径部及び小径部を有する駆動プーリ３５１が取り付けられる。
【００６５】
図２に示すように、支軸３５３は、側面３０６ｂ側に案内レール３４５と直交するように配置される。支軸３５３の両端であって案内レール３４５よりも主走査方向Ｙの外側には、駆動プーリ３５１と同一径の従動プーリ３５２が取り付けられる。
【００６６】
駆動プーリ３５１及び従動プーリ３５２の大径部には、駆動用ワイヤー３５４ａが掛け渡される。そして、駆動用ワイヤー３５４ａには、照明ユニット３４７が固定される。
また、駆動プーリ３５１及び従動プーリ３５２の小径部には、駆動用ワイヤー３５４ｂが掛け渡される。そして、駆動用ワイヤー３５４ｂには、ミラーユニット３４９が固定される。
【００６７】
駆動軸３５０が駆動モータによって回転されることで、駆動用ワイヤー３５４ａ、３５４ｂは回動される。駆動用ワイヤー３５４ａ、３５４ｂが回動されることで、照明ユニット３４７及びミラーユニット３４９は、案内レール３４５に沿って副走査方向Ｘ（図２及び図３における左右方向）に移動される。駆動プーリ３５１及び従動プーリ３５２における大径部と小径部との径比は２：１である。そのため、照明ユニット３４７とミラーユニット３４９との移動距離の比は２：１となる。
【００６８】
なお、本実施形態においては、大径部及び小径部を有する駆動プーリ３５１及び従動プーリ３５２を利用して、照明ユニット３４７とミラーユニット３４９との移動距離の比が２：１となる構成を実現しているが、これに制限されない。例えば、ミラーユニット３４９に動滑車を設け、照明ユニット３４７を駆動用ワイヤーなどに固定して設けることにより、動滑車の原理を利用して、照明ユニット３４７とミラーユニット３４９との移動距離の比が２：１となる構成を実現することもできる。
【００６９】
ここで、照明ユニット３４７及びミラーユニット３４９における案内レール３４５の上面と接する部分には、接触子３５５がそれぞれ２個ずつ設けられる。各接触子３５５の案内レール３４５との接触面は球面状となっている。これにより、照明ユニット３４７及びミラーユニット３４９は、副走査方向Ｘへスムーズに移動される。
【００７０】
図２に示すように、読取部３０１の底面における側面３０６ａ側には、結像レンズ３５７、ＣＣＤ３５８等を支持する部材であるＩＳＵベース３５６が取り付けられる。ＩＳＵベース３５６の上面には、結像レンズ３５７と、読取手段としてのＣＣＤ３５８が所定の位置関係で取り付けられる。
【００７１】
図２に示すように、結像レンズ３５７は、ＩＳＵベース３５６に固定されるレンズ支持台３５９上に設置される。レンズ支持台３５９は、ＣＣＤ３５８側に配置されるガイド部材３６０により位置が調整可能に配置される。結像レンズ３５７は、読取部３０１の副走査方向Ｘにおける略中央に配置される。結像レンズ３５７は、光路Ｈ（図３参照）における原稿Ｇ側と反対の端部側に配置される。結像レンズ３５７は、入射された光束Ｈ４（図３参照）を所定位置において結像させる。つまり、結像レンズ３５７は、原稿Ｇの画像を所定位置において結像させる。
【００７２】
図２に示すように、ＣＣＤ３５８は、ガイド部材３６０の背面に配置されるＣＣＤ基板３６１に実装される。ＣＣＤ３５８は、結像レンズ３５７における結像位置に配置される。結像レンズ３５７からの光束は、ガイド部材３６０の中央付近に形成される開口窓３６０ａを通ってＣＣＤ３５８に入射される。ＣＣＤ３５８に入射される光束における光軸は、ガイド部材３６０の位置を微調整することにより補正される。
【００７３】
光学センサ３６２は、ＩＳＵベース３５６上に配置される。光学センサ３６２は、コンタクトガラス３３５上に載置された原稿Ｇからの反射光を受光するか否かによって原稿のサイズ（図２の左右方向）を検知する。
【００７４】
図３に示すように、照明ユニット３４７は、発光部としての照明部３４０と、第１ミラー３２１と、照明部３４０及び第１ミラー３２１を収容する第１枠体３１１と、を備える。
【００７５】
照明部３４０は、発光部としての複数のＬＥＤ５０１、５０２が取り付けられたＬＥＤユニット５００と、複数のＬＥＤ５０１、５０２に近接又は当接して配置される導光部４００とを備える。照明部３４０については、後に詳述する。
【００７６】
第１ミラー３２１は、照明ユニット３４７における厚さ方向Ｚにおける下方側に配置される。第１ミラー３２１は、反射面が原稿Ｇ及び第２ミラー３２２側に向くように配置される。第１ミラー３２１は、原稿からの光束Ｈ１を第２ミラー３２２に反射させる。
【００７７】
第１枠体３１１は、駆動プーリ３５１及び従動プーリ３５２（図２参照）の大径部に掛け渡される駆動用ワイヤー３５４ａ（図２参照）に固定される。駆動用ワイヤー３５４ａ、３５４ｂが回動されることで、第１枠体３１１は、案内レール３４５に沿って副走査方向Ｘに移動される。
【００７８】
図３に示すように、ミラーユニット３４９は、第２ミラー３２２と、第３ミラー３２３と、第２ミラー３２２と第３ミラー３２３とを収容する第２枠体３１２と、を備える。
【００７９】
第２ミラー３２２は、第２枠体３１２の厚さ方向Ｚにおける上方側に配置される。第２ミラー３２２は、反射面が第１ミラー３２１及び第３ミラー３２３側を向くように配置される。第２ミラー３２２は、第１ミラー３２１からの光束Ｈ２を第３ミラー３２３側に反射させる。
【００８０】
第３ミラー３２３は、第２枠体３１２の厚さ方向Ｚにおける下方側に配置される。第３ミラー３２３は、反射面が第２ミラー３２２及び結像レンズ３５７側を向くように配置される。第３ミラー３２３は、第２ミラー３２２からの光束Ｈ３を結像レンズ３５７側に反射させる。
【００８１】
ここで、図４から図７により、照明部３４０について詳細に説明する。
図４及び図５に示すように、照明部３４０は、発光部としてのＬＥＤユニット５００と、ＬＥＤユニット５００から出射された照射光を所定経路で導く導光部４００と、導光部４００によって導かれた照射光の光路を更に原稿Ｇにおける被読み取り部Ｒに向けて偏向させる反射ミラー５４１と、を備える。これらＬＥＤユニット５００、導光部４００及び反射ミラー５４１は、取り付け部材５１０に装着されている。導光部４００は、導光体４１０と導光空間４２０との上下２層構造を有する。
【００８２】
図６に示すように、ＬＥＤユニット５００は、基板部材５０３と、基板部材５０３における一方の面に実装される２列のＬＥＤ列を備えている。２列のＬＥＤ列は、複数のＬＥＤ５０１が主走査方向Ｙに一定間隔で並んで配置されて成る第１ＬＥＤ列（第１発光部材群）５５１と、複数のＬＥＤ５０２が主走査方向Ｙに一定間隔で並んで配置されて成る第２ＬＥＤ列５５２（第２発光部材群）と、からなる。第１ＬＥＤ列５５１と第２ＬＥＤ列５５２とは、主走査方向Ｙと直交する前記厚さ方向Ｚに、所定間隔を有して平行に配設されている。
【００８３】
ＬＥＤユニット５００における各ＬＥＤ５０１、５０２は、それぞれ発光（光を出射）する。
図５に示すように、ＬＥＤユニット５００は、第１ＬＥＤ列５５１を厚さ方向Ｚの上側に位置させ、各ＬＥＤ５０１，５０２の出射光軸とＬＥＤ５０１，５０２の配列方向とをそれぞれコンタクトガラス３３５と略平行とした姿勢で、ブラケット５０４を介して取り付け部材５１０に取り付けられている。
【００８４】
取り付け部材５１０は、金属等の材料によって、所定の剛性を有して形成されている。図４及び図５に示すように、取り付け部材５１０は、第１枠体３１１における上方（図４において上方）に配置される。取り付け部材５１０には、ＬＥＤユニット５００と、導光部４００と、反射ミラー５４１とが取り付けられる。
【００８５】
図５に示すように、導光部４００は、厚さ方向Ｚにおいて重なる上下２層の導光部４００（導光体４１０，導光空間４２０）を備えている。導光部４００は、主走査方向Ｙにおいて、ＬＥＤユニット５００に対応する長さを有している。
なお、以下の導光部４００に関する説明において、照射光の出射側（図２から図５における左側）を「前方側」、これとは逆側を「後方側」と称する。
【００８６】
導光体４１０は、ＬＥＤユニット５００側に配置される第１入光部４１２と、原稿Ｇ側に配置される第１出光部４１３とを有する。導光体４１０は、第１入光部４１２が複数の第１ＬＥＤ列５５１側を向き、第１出光部４１３がコンタクトガラス３３５側に向くように配置される。導光体４１０は、ＬＥＤユニット５００における第１ＬＥＤ列５５１が発する光に対して透明な素材（例えば、アクリル樹脂等）によって形成されている。
【００８７】
第１入光部４１２は、第１ＬＥＤ列５５１に対向して配置される。第１入光部４１２には、第１ＬＥＤ列５５１からの光が導光体４１０の内部に向けて入光される。第１出光部４１３は、読取面３０２Ａに対向して配置される。第１出光部４１３は、第１入光部４１２から入光された光を読取面３０２Ａ側に向けて出光させる。このように、導光体４１０は、第１入光部４１２から入光された光を第１出光部４１３から出光して、第１ＬＥＤ列５５１からの光を被読み取り部Ｒへ導くように構成される。
【００８８】
導光体４１０は、第１入光部４１２と第１出光部４１３との間に、導光体４１０が屈曲する屈曲部４１１Ｃを有する。導光体４１０は、第１入光部４１２から屈曲部４１１Ｃまで延びる水平部４１１Ａと、屈曲部４１１Ｃから第１出光部４１３まで延びる傾斜部４１１Ｂと、を有する。
【００８９】
水平部４１１Ａは、副走査方向Ｘに延びるように形成される。傾斜部４１１Ｂは、屈曲部４１１Ｃを介して水平部４１１Ａに対して所定の角度をなして読取面３０２Ａ側（原稿Ｇ側）に屈曲する（傾斜して延びる）。導光体４１０は、水平部４１１Ａ及び傾斜部４１１Ｂが屈曲部４１１Ｃを介して連続することにより形成される。
【００９０】
図３に示すように、導光体４１０は、ＬＥＤ５０１から被読み取り部Ｒまでの距離を確保すると共に、内部空間３０４を有効に利用することによる省スペース化（特に、厚さ方向Ｚの省スペース化）の実現のため、屈曲部４１１Ｃにおいて屈曲する形状を有する。これは、ＬＥＤ５０１から被読み取り部Ｒまでの距離を確保することにより、被読み取り部ＲにおいてＬＥＤ５０１からの光を十分に拡散して光量ムラを抑制するためである。
【００９１】
また、導光体４１０は、導光体４１０の内面に、第１入光部４１２に入光された光の不要な拡散を抑制して第１出光部４１３から出光させるための反射面を備える。例えば、傾斜部４１１Ｂにおける反射面に反射される光はそれぞれの角度で屈折して読取面３０２Ａ側に導かれる。
【００９２】
図４及び図５に示すように、第１出光部４１３から出光する光束４１０Ｈは、導光体４１０の内面に形成される反射面により集光されて読取面３０２Ａ側に出光される。導光体４１０は、不要な拡散を抑制しながら第１入光部４１２に入光された光を被読み取り部Ｒに導く。
導光体４１０における上面側（原稿Ｇ側）は、水平部４１１Ａ側の水平部上面４１４と、傾斜部４１１Ｂ側の傾斜部上面４１５とからなる。水平部上面４１４は、第１入光部４１２から前方側に向かって略水平に延びる面である。傾斜部上面４１５は、水平部上面４１４における前方側の端部から水平部上面４１４に対して所定角度を成して上向き（原稿Ｇ側）に延びるように形成された面である。
【００９３】
図５に示すように、導光体４１０における下面側（原稿Ｇ側とは反対側）は、水平部４１１Ａ側の水平部下面４１６と、傾斜部４１１Ｂ側の第１傾斜部下面４１７及び第２傾斜部下面４１８と、からなる。水平部下面４１６は、第１入光部４１２から前方側に向かって略水平に延びる面である。第１傾斜部下面４１７は、水平部下面４１６における前方側の端部から水平部上面４１４に対して所定角度を成して上向き（原稿Ｇ側）に延びるように形成された面である。第２傾斜部下面４１８は、第１傾斜部下面４１７における前方側の端部から第１傾斜部下面４１７に対して更に所定角度で上向きに延びるように形成された面である。
【００９４】
水平部上面４１４と水平部下面４１６とは、厚さ方向Ｚに所定の間隔に設定されている。水平部上面４１４、傾斜部上面４１５、水平部下面４１６、第１傾斜部下面４１７及び第２傾斜部下面４１８には、光の反射率を高める反射被膜が、必要に応じて、真空蒸着、スパッタリング等によって形成される。
【００９５】
第１入光部４１２は、水平部上面４１４及び水平部下面４１６に対して、略直交している。
第１出光部４１３は、傾斜部上面４１５に対しては鈍角を成しており、第２傾斜部下面４１８に対しては鋭角を成している。これにより、第１出光部４１３は、コンタクトガラス３３５と平行な面（原稿Ｇ）に対して、前方側を下向きとする方向に所定角度で傾斜して形成されている。
【００９６】
次に、導光空間４２０について説明する。図５に示すように、導光空間４２０は、導光体４１０の水平部下面４１６と、導光体４１０の下側に配置された導光空間形成部材４２２と、によって形成されている。導光空間４２０は、ＬＥＤユニット５００側に配置される第２入光部４２３と、原稿Ｇ側に配置される第２出光部４２４とを有する。導光空間形成部材４２２は、導光体４１０の下側に、水平部下面４１６に対して所定の間隔を有して略平行に配置されている。導光空間形成部材４２２の前端縁は、水平部下面４１６と第１傾斜部下面４１７とが形成する角部より、所定量前方に位置している。
【００９７】
このように、この導光体４１０と導光空間形成部材４２２との間に挟まれた空間が、導光空間４２０を構成する。つまり、水平部下面４１６は、本発明における「導光体４１０における第１入光部４１２と第１出光部４１３とをつなぐ外面の一部である第１反射面」に該当する（以下、「水平部下面４１６」を「第１反射面４１６」ともいう）。第１反射面４１６は、例えば、導光空間４２０の下面側に、貼着、メッキ、真空蒸着、スパッタリングなどの光線反射率の高い反射層を形成することにより形成することもできる。
【００９８】
導光空間形成部材４２２の上面は、所定の光線反射率を有する第２反射面４２２ａとなっている。導光空間形成部材４２２の第２反射面４２２ａは、第１反射面４１６と対向する位置に配置される。第２反射面４２２ａは、例えば、導光空間形成部材４２２をアルミニウム合金やステンレス合金等の優れた光線反射性を有する金属板によって形成することで構成できる。第２反射面４２２ａには、必要に応じて、光線を反射可能とする処理や光線の反射率を向上させる処理を施してよい。これらの処理としては、研磨による鏡面仕上げ、メッキ、塗装等が挙げられる。また、導光空間形成部材４２２を、プラスチック板などの光線を反射しない素材から形成し、この導光空間形成部材４２２の上面に、貼着、メッキ、真空蒸着、スパッタリングなどの光線反射率の高い反射層を形成することにより、第２反射面４２２ａを形成することもできる。
【００９９】
図５に示すように、導光部４００は、第１枠体３１１の上面に固定された取り付け部材５１０に支持されている。導光体４１０の第１入光部４１２は、ＬＥＤユニット５００における第１ＬＥＤ列５５１に対向している。導光空間４２０の第２入光部４２３は、ＬＥＤユニット５００における第２ＬＥＤ列５５２に対向している。
導光体４１０における水平部上面４１４及び水平部下面４１６並びに導光空間形成部材４２２は、コンタクトガラス３３５と略平行となっている。
【０１００】
図４及び図５に示すように、導光部４００における導光空間４２０の前方側には、第２出光部４２４に対応して、反射部材としての反射ミラー５４１が配設されている。反射ミラー５４１は、第２出光部４２４からの光を原稿Ｇ側に反射させる。反射ミラー５４１は、原稿Ｇにおける被読み取り部Ｒよりも前方側に配設されている。
反射ミラー５４１は、断面形状が略所定半径の凹面状の反射面５４１Ａを備えている。反射ミラー５４１は、反射面５４１Ａの中心軸を、導光空間４２０の第２出光部４２４側及び原稿Ｇにおける被読み取り部Ｒ側を向いた姿勢で、ミラー保持部５１１を介して取り付け部材５１０に設けられている。
【０１０１】
図５に示すように、前述の通り構成された導光部４００によれば、第１ＬＥＤ列５５１を構成する複数のＬＥＤ５０１が発した光は、第１入光部４１２から導光体４１０に入射し、導光体４１０の内部を通って第１出光部４１３から出射する。例えば、第１ＬＥＤ列５５１を構成するＬＥＤ５０１が発した光軸付近の光は、導光体４１０の内部を直進し、第１傾斜部下面４１７の内面又は第２傾斜部下面４１８の内面によって全反射されて第１出光部４１３から出射する。また、第１ＬＥＤ列５５１を構成するＬＥＤ５０１が発した上下方向に広がる周辺光は、水平部上面４１４の内面と水平部下面４１６の内面との間で全反射を繰り返して、最終的には第１傾斜部下面４１７又は第２傾斜部下面４１８の内面によって全反射されて第１出光部４１３から出射する。
【０１０２】
更に、図示しないが、第１ＬＥＤ列５５１を構成するＬＥＤ５０１が発した水平方向（主走査方向Ｙ）に広がる周辺光は、水平部上面４１４の内面と水平部下面４１６の内面との間で全反射を繰り返しつつ副走査方向Ｘに対して角度を有する方向に進み、第１出光部４１３から出射する。これにより、第１出光部４１３からは、散乱されて主走査方向Ｙに略均一化された光（１次照射光束４１０Ｈ）が出射することとなる。従って、複数のＬＥＤ５０１が主走査方向Ｙに間欠的に配置されていることに起因する光量ムラ（照度ムラ）を抑えることができる。
【０１０３】
１次照射光束４１０Ｈは、水平部下面４１６に対して斜め前方側に所定の角度で導光体４１０から出射する。１次照射光束４１０Ｈの中心光軸は、被読み取り部Ｒに向かうように設定されている。これにより、第１出光部４１３から出射した１次照射光束４１０Ｈは、原稿Ｇにおける被読み取り部Ｒを、後方側から所定の角度で照射する。
【０１０４】
一方、第２ＬＥＤ列５５２を構成する複数のＬＥＤ５０２が発した光は、導光空間４２０に第２入光部４２３から入射し、導光空間４２１の内部を通って第２出光部４２４から出射する。すなわち、第２ＬＥＤ列５５２を構成するＬＥＤ５０２が発した光軸付近の光は、導光空間４２１内を直進して第２出光部４２４から前方側に向かって出射する。また、第２ＬＥＤ列５５２を構成するＬＥＤ５０２が発した上下方向に広がる周辺光は、導光体４１０における水平部下面（第１反射面）４１６と、導光空間形成部材４２２の第２反射面４２２ａとの間で全反射を繰り返して、最終的に第２出光部４２４から前方側に向かって出射する。
【０１０５】
更に、図示しないが、第２ＬＥＤ列５５２を構成するＬＥＤ５０２が発した水平方向（主走査方向Ｙ）に広がる周辺光は、導光体４１０における水平部下面（第１反射面）４１６と、導光空間形成部材４２２の第２反射面４２２ａとの間で全反射を繰り返しつつ、副走査方向Ｘに対して角度を有する方向に進み、第２出光部４２４から前方側に向かって出射する。これにより、第２出光部４２４からは、散乱されて主走査方向Ｙに略均一化された光（２次照射光束４２０Ｈ）が出射することとなる。従って、複数のＬＥＤ５０２が主走査方向Ｙに間欠的に配置されていることに起因する光量ムラ（照度ムラ）を抑えることができる。
【０１０６】
また、前述の通り構成された反射ミラー５４１は、導光空間４２０の第２出光部４２４から出射した２次照射光束４２０Ｈを、原稿Ｇにおける被読み取り部Ｒに集光するように反射して偏向させる。これにより、２次照射光束４２０Ｈは、原稿Ｇにおける被読み取り部Ｒを、前方側（１次照射光束４１０Ｈとは反対側）から所定の角度で照射する。
【０１０７】
以上の通り、照明部３４０によれば、第１出光部４１３からの光は、副走査方向Ｘにおける後方側（一方側）から原稿Ｇに照射され、また、第２出光部４２４からの光は、副走査方向Ｘにおける前方側（他方側）から原稿Ｇに照射される。
【０１０８】
ここで、図７に示すように、本実施形態の画像読取装置３００は、第１ＬＥＤ列５５１を構成する複数のＬＥＤ５０１と、第２ＬＥＤ列５５２を構成する複数のＬＥＤ５０２それぞれにおける発光を別々に制御する発光量制御部としての発光制御部４５０を備える。
【０１０９】
発光制御部４５０は、第１ＬＥＤ列５５１を構成する複数のＬＥＤ５０１と、第２ＬＥＤ列５５２を構成する複数のＬＥＤ５０２とのうちの一方を、発光しないように制御することができる。
【０１１０】
また、発光制御部４５０は、第１ＬＥＤ列５５１を構成する複数のＬＥＤ５０１と、第２ＬＥＤ列５５２を構成する複数のＬＥＤ５０２とにおける発光量を制御することができる。例えば、画像読取装置３００における読み込みの速度や、原稿Ｇの厚さ等に応じてそれぞれにおける発光量を調整することができる。発光光量の調整は、第１ＬＥＤ列５５１を構成する複数のＬＥＤ５０１と、第２ＬＥＤ列５５２を構成する複数のＬＥＤ５０２への供給電圧等を調整することにより行うことができる。
【０１１１】
続けて、本実施形態における画像読取装置３００の作用について説明する。
まず、蓋部材７０（図１参照）を開状態にすると共に、読取面３０２Ａ（図３参照）に原稿Ｇを載置する。光学センサ３６２（図３参照）により読取面３０２Ａに原稿が載置されたことが検知されることで、照明ユニット３４７及びミラーユニット３４９（図３参照）は、内部空間３０４の側面３０６ａ側（図３参照）に配置される。
【０１１２】
次いで、蓋部材７０を閉状態にする。そして、不図示のスタートスイッチを押すことで、カラーコピー機１に対して、原稿Ｇの画像を複製することを指示する。スタートスイッチが押されることで、画像読取装置３００による原稿Ｇの画像を読み取り動作が開始される。
【０１１３】
具体的には、まず、ＬＥＤユニット５００における複数のＬＥＤ５０１、５０２（図３及び図４参照）が点灯される。点灯された第１ＬＥＤ列５５１における複数のＬＥＤ５０１が発した光は、導光部４００の導光体４１０を通って第１出光部４１３から１次照射光束４１０Ｈとなって出射し、原稿Ｇにおける被読み取り部Ｒを後方側から所定の角度で照射する。また、点灯された第２ＬＥＤ列５５２における複数のＬＥＤ５０２が発した光は、導光部４００の導光空間４２０を通って第２出光部４２４から２次照射光束４２０Ｈとなって出射する。２次照射光束４２０Ｈは、反射ミラー５４１によって反射されると共に偏向され、原稿Ｇにおける被読み取り部Ｒを前方側から所定の角度で照射する。
【０１１４】
従って、原稿Ｇにおける被読み取り部Ｒは、副走査方向Ｘにおける一方側から１次照射光束４１０Ｈに照射され、副走査方向Ｘにおける他方側から２次照射光束４２０Ｈに照射される。これにより、原稿Ｇにおける被読み取り部Ｒには、主走査方向Ｙに延びるような態様のライン状の光が、副走査方向Ｘの両側（前方側及び後方側）から照射される。
【０１１５】
原稿Ｇにおける被読み取り部Ｒに光が照射された状態において、照明ユニット３４７及びミラーユニット３４９それぞれは、副走査方向Ｘに移動する。照明ユニット３４７及びミラーユニット３４９それぞれは、光路Ｈにおける光路長を一定に保持しながら移動する。
【０１１６】
原稿Ｇからの像光束は、第１ミラー３２１、第２ミラー３２２及び第３ミラー３２３に反射された後、結像レンズ３５７に入射する（図３参照）。
【０１１７】
結像レンズ３５７は、原稿Ｇの画像をＣＣＤ３５８の受光面に結像させる。ＣＣＤ３５８は、受光面に結像された原稿Ｇにおける被読み取り部Ｒの画像情報を電気信号に変換して読み込む（図３参照）。
【０１１８】
ここで、導光部４００から出射された光が原稿Ｇに対して副走査方向Ｘにおける一方側と他方側との双方から光が照射されるので、読み取られた画像にエッジ影が発生することを抑制できる（図３及び図４参照）。
【０１１９】
ＣＣＤ３５８により読み込まれた画像情報は、ＣＣＤ基板３６１に出力される。そして、ＣＣＤ基板３６１に出力された画像情報は、所定の回路基板を介して装置本体Ｍに出力される（図３参照）。
【０１２０】
装置本体Ｍにおいて、入力された画像情報は、不図示の画像形成制御部に入力される。画像形成制御部は、画像情報に基づいて、画像形成部を構成する像担持体としての感光体ドラム２ａから２ｄ、帯電部１０ａから１０ｄ、レーザスキャナユニット４ａから４ｄや現像器１６ａから１６ｄ等を制御する。感光体ドラム２には、画像情報に基づいて、所定のトナー画像が形成される（図１参照）。
【０１２１】
搬送路Ｌを介して感光体ドラム２により形成される１次転写ニップＮ１ａ、Ｎ１ｂ、Ｎ１ｃ、Ｎ１ｄに搬送された用紙Ｔには、画像情報に基づいて原稿Ｇの画像と同じ画像が転写される。画像が形成された用紙Ｔは、第１排紙部５０ａ及び第２排紙部５０ｂから装置本体Ｍの外部に排紙される（図１参照）。
【０１２２】
本実施形態によれば、導光部４００は、第１入光部４１２と第１出光部４１３とを有する導光体４１０と、導光体４１０における水平部下面４１６と対向する位置に配置され第２反射面４２２ａを有する導光空間形成部材４２２と、水平部下面４１６と第２反射面４２２ａとの間に形成され第２入光部４２３と第２出光部４２４とを備える導光空間４２１を備える。そして、導光体４１０の第１出光部４１３から出射する１次照射光束４１０Ｈと、導光空間４２１の第２出光部４２４から出射する２次照射光束４２０Ｈとで、被読み取り部Ｒを照射する。このため、簡易な構造で複数の導光経路（導光体４１０、導光空間４２０）を形成できると共に、原稿Ｇへの照射光の照射位置の位置合わせが容易である。
【０１２３】
また、本実施形態によれば、導光体４１０の第１出光部４１３から出射する１次照射光束４１０Ｈと、導光空間４２１の第２出光部４２４から出射する２次照射光束４２０Ｈとで、原稿Ｇにおける被読み取り部Ｒを前後両側から照射する。これにより、読み取られた画像にエッジ影が発生することを抑制できる。
【０１２４】
また、本実施形態によれば、導光空間４２１の第２出光部４２４に対応して配置され、２次照射光束４２０Ｈを反射して原稿Ｇにおける被読み取り部Ｒに向けて偏向させる反射ミラー５４１を備えることにより、導光体４１０と並列に配置された導光空間４２１から出射する２次照射光束４２０Ｈを、導光体４１０から出射する１次照射光束４１０Ｈとは逆側から原稿Ｇにおける被読み取り部Ｒに照射することができる。
【０１２５】
また、本実施形態によれば、ＬＥＤユニット５００における第１ＬＥＤ列５５１と第２ＬＥＤ列５５２とのそれぞれにおける発光量を別々に制御する発光量制御部４５０を備えることにより、１次照射光束４１０Ｈと２次照射光束４２０Ｈとをそれぞれ独立して光量調整できる。
【０１２６】
また、本実施形態によれば、発光量制御部４５０は、ＬＥＤユニット５００における第１ＬＥＤ列５５１及び第２ＬＥＤ列５５２のＬＥＤ５０１，５０２への供給電圧を変更させることにより発光量の制御を行う。これにより、発光量の制御を容易に行うことができる。
【０１２７】
続けて、図８から図９により、第２実施形態におけるカラーコピー機について説明する。図８は、第２実施形態における照明部３４０の構成を説明する断面図である。図９は、図８に示すＬＥＤユニット５００Ａの斜視図である。
第２実施形態におけるカラーコピー機は、ＬＥＤユニット５００Ａを除いて第１実施形態におけるカラーコピー機１と同様の構成を有する。以下、第１実施形態におけるカラーコピー機１と異なるＬＥＤユニット５００Ａを中心に説明し、他の構成要素の説明は省略する。また、第１実施形態に係る図面を適宜援用する。
【０１２８】
図８及び図９に示すように、ＬＥＤユニット５００Ａは、基板部材５０３Ａに、複数のＬＥＤ５０１Ａが主走査方向Ｙに一定間隔で並んで配置されて成る一列のＬＥＤ列５５１Ａを備えている。
そして、ＬＥＤユニット５００Ａは、ＬＥＤ列５５１Ａを構成する各ＬＥＤ５０１Ａの出射光軸とＬＥＤ５０１Ａの配列方向とをそれぞれコンタクトガラス３３５に対して略平行とした姿勢で、ブラケット５０４を介して取り付け部材５１０に取り付けられている。
【０１２９】
ここで、ＬＥＤユニット５００ＡにおけるＬＥＤ列５５１Ａを構成する各ＬＥＤ５０１Ａの出射光軸と、導光部４００Ａにおける導光体４１０の水平部下面４１６とが略一致するように設定されている。尚、図８では、便宜上、導光体４１０への出射光の出射位置と導光空間４２０への出射光の出射位置とを、高さ方向Ｚにずらして図示している。
ＬＥＤ列５５１Ａを構成する各ＬＥＤ５０１Ａからの出射光は、上下に分割されて、それぞれ導光体４１０及び導光空間４２０に入射する。すなわち、各ＬＥＤ５０１Ａからの出射光のうちの略上半分は、導光体４１０に第１入光部４１２から入射し、導光体４１０の内部を通って第１出光部４１３から出射する（１次照射光束４１０Ｈ）。また、各ＬＥＤ５０１Ａからの出射光の内の略下半分は、導光空間４２０に第２入光部４２３から入射し、導光空間４２１を通って第２出光部４２４から出射する（２次照射光束４２０Ｈ）。
【０１３０】
前述した第２実施形態の構成では、一列のＬＥＤ列５５１Ａを備えるＬＥＤユニット５００Ａによって、導光体４１０及び導光空間４２０に光を入射させることができる。
導光体４１０及び導光空間４２０に入射する光量のバランスは、ＬＥＤユニット５００Ａと、導光部４００Ａの高さ方向Ｚの相対位置を変更調整することによって行うことができる。すなわち、導光部４００Ａにおける導光体４１０の水平部下面４１６に対する、ＬＥＤ列５５１Ａを構成する各ＬＥＤ５０１Ａの出射光軸の位置を変更することにより、ＬＥＤ５０１Ａからの出射光についての、導光体４１０と導光空間４２０とに入射する光量の分配量を変更調整することができる。
【０１３１】
本実施形態によれば、第１実施形態と同様の効果を得ることができると共に、以下に示す効果を得ることができる。
すなわち、本実施形態によれば、一列のＬＥＤ列５５１Ａを備えるＬＥＤユニット５００Ａによって、導光体４１０と導光空間４２０とに光を入射させることができるため、部品コストの削減が可能となる。
【０１３２】
以上、好適な実施形態として第１実施形態及び第２実施形態について説明したが、本発明は上述した実施形態に限定されることなく種々の形態で実施することができる。例えば、本実施形態において、画像形成装置としてカラーコピー機１について説明しているが、これに限定されず、モノクロコピー機、プリンタ、ファクシミリ及びこれらの複合機等であってもよい。
【０１３３】
また、第１実施形態及び第２実施形態において、画像読取装置３００は、装置本体Ｍと一体的に形成されているが、これに限定されず、装置本体Ｍと別個の筐体により構成されていてもよい。例えば、画像読取装置３００は、装置本体Ｍに対して着脱可能に構成されてもよい。
【０１３４】
また、第１枠体３１１が装着される取り付け部材５１０の上面を、導光空間形成部材４２２（第２反射面４２２ａ）として利用するように構成しても良い。これにより、部品点数および組立工数の一層の削減が可能となる。
【０１３５】
導光部４００は、導光空間４２０が上層に配置され、導光体４１０が下層に配置された上下２層構造を有していてもよい。
反射ミラー５４１等の反射部材は、導光体４１０の第１出光部４１３及び導光空間４２０の第２出光部４２４の両方又はいずれか一方のみに対応して設けられていてもよい
【符号の説明】
【０１３６】
１……カラーコピー機（画像形成装置）、２ａ，２ｂ，２ｃ，２ｄ……感光体ドラム（像担持体）、９……定着装置（定着部）、１６ａ，１６ｂ，１６ｃ，１６ｄ……現像器、３００……画像読取装置、３０１……読取部、３４０……照明部、４００，４００Ａ……導光部、４１０Ｈ……１次照射光、４２０Ｈ……２次照射光、４１０……導光体、４１２……第１入光部、４１３……第１出光部、４１６……水平部下面（第１反射面）、４２０……導光空間、４２２……導光空間形成部材、４２２ａ……第２反射面、４２３……第２入光部、４２４……第２出光部、４５０……発光制御部（発光量制御部）、５００，５００Ａ……ＬＥＤユニット（発光部）、５０１，５０１Ａ，５０２……ＬＥＤ（発光部材）、５５１……第１ＬＥＤ列（第１発光部材群）、５５２……第２ＬＥＤ列（第２発光部材群）、反射ミラー５４１（反射部材）、Ｇ……原稿、Ｈ……光路、Ｒ……被読み取り部、Ｘ……副走査方向、Ｙ……主走査方向
【図１】
2010191397.tif 000003
【図２】
2010191397.tif 000004
【図３】
2010191397.tif 000005
【図４】
2010191397.tif 000006
【図５】
2010191397.tif 000007
【図６】
2010191397.tif 000008
【図７】
2010191397.tif 000009
【図８】
2010191397.tif 000010
【図９】
2010191397.tif 000011